【事件の表示】
　上記当事者間の登録第４８２７４１１号商標の商標登録無効審判事件について，次のとおり審決する。
【結　論】
　本件審判の請求は，成り立たない。
　審判費用は，請求人の負担とする。
【理　由】
第１　本件商標
　本件登録第４８２７４１１号商標（以下「本件商標」という。）は，後掲のとおりの構成よりなり，平成１６年６月９日に登録出願，第１４類「キーホルダー，貴金属製宝石箱，宝玉及びその模造品，身飾品，貴金属製食器類，貴金属製のがま口及び財布，貴金属製コンパクト，時計」及び第１８類「かばん類，袋物」を指定商品として，平成１６年１２月１７日に設定登録されたものである。
　
第２　引用商標
　請求人が本件商標の登録無効の理由に引用する国際登録第８０３９３２号商標（以下「引用商標」という。）は，「ＥＧＥＲＩＥ」の欧文字を横書きしてなり，２００３年２月１３日にスイス国においてした商標登録出願に基づきパリ条約第４条による優先権を主張して，２００３年５月１５日に国際登録され，第１４類「Ｃｕｆｆ　ｌｉｎｋｓ，ｒｉｎｇｓ，ｂｒａｃｅｌｅｔｓ，ｅａｒｒｉｎｇｓ，ｎｅｃｋｌａｃｅｓ，ｂｒｏｏｃｈｅｓ；ｗａｔｃｈｅｓ，ｃｈｒｏｎｏｍｅｔｅｒｓ，ｐｅｎｄｕｌｕｍ　ｃｌｏｃｋｓ．」を指定商品として，平成１６年１月９日に我が国において設定登録されたものである。
　
第３　請求人の主張
　請求人は，本件商標の登録を無効とする，審判費用は被請求人の負担とする，との審決を求める，と申し立て，その理由及び答弁に対する弁駁を次のように述べ，証拠方法として，甲第１号証ないし甲第１８号証（枝番号を含む。）を提出した。
１　請求の理由
（１）商標法第４条第１項第１１号について
　本件商標は，その構成文字に相応して，「エジェリディヴィーヌ」の称呼を生じるが，７音と比較的冗長であること，欧文字部分において，「ＥＧＥＲＩＥ」（１字目と３字目の「Ｅ」には，アクサン・テギューが付されている。以下同じ。）と「ＤＩＶＩＮＥ」に間隔があることから，視覚上分離して看取されるばかりでなく，特定の意味合いを有する熟語ともいい難いから，これらを一体のものとして把握しなければならない理由はない。
　さらに，本件商標中の「ＥＧＥＲＩＥ」の部分は，「政治家・芸術家などの女性助言者」という意味を表すフランス語の単語であり（甲第５号証），また，後述するように，請求人傘下のヴァシュロン・コンスタンタン（以下「ヴァシュロン社」という。）の業務に係る腕時計の商標として周知となっている「ＥＧＥＲＩＥ」（甲第１０号証及び甲第１１号証）と綴りを同じくするのに対し，「ＤＩＶＩＮＥ」は，フランス語で「神の，素晴らしい」といった意味を表す形容詞にすぎない（甲第６号証）から，識別力は弱く，本件商標の要部は「ＥＧＥＲＩＥ」の部分であると考えられる。
　以上の事実よりすれば，本件商標をその指定商品中，引用商標の指定商品と類似する「身飾品，宝玉及びその模造品，時計」について使用するときは，取引者及び需要者が，本件商標中の「ＥＧＥＲＩＥ」の部分に着目し，これより生ずる「エジェリ」の称呼をもって取引に資する場合が少なからずあるものと見るのが相当である。
　他方，引用商標は，その構成文字に相応して「エジェリ」の称呼を生ずるものである。
　したがって，本件商標と引用商標は，「エジェリ」の称呼及び「政治家・芸術家などの女性助言者」の観念を共通にする類似の商標といえる。
　このことは，過去の審決例（甲第７号証ないし甲第９号証）からも妥当であると考えられる。
　また，本件商標の指定商品のうち「身飾品，宝玉及びその模造品，時計」は，引用商標の指定商品「ｒｉｎｇｓ，ｂｒａｃｅｌｅｔｓ，ｅａｒｒｉｎｇｓ，ｎｅｃｋｌａｃｅ，ｂｒｏｏｃｈｅｓ，ｗａｔｃｈｅｓ，ｃｈｒｏｎｏｍｅｔｅｒｓ，ｐｅｎｄｕｌｕｍ　ｃｌｏｃｋｓ」に類似する。
　したがって，本件商標の登録は，指定商品「身飾品，宝玉及びその模造品，時計」について，商標法第４条第１項第１１号に違反してされたものである。
（２）商標法第４条第１項第１５号について
（ア）「ＥＧＥＲＩＥ」商標（以下「引用標章」という。）の周知性
　請求人は，カルティエ，モンブラン，ダンヒル等の有名ブランドを数多く傘下に収めており，高級腕時計ブランド「ヴァシュロン・コンスタンタン」もその１つである。
　ヴァシュロン社は，１７５５年にスイス国ジュネーブにおいて創立されて以来，２５０年の歴史を誇る最古の時計メーカーであり，高級腕時計の需要者の間では，よく知られている。
　そして，ヴァシュロン社は，２００３年１０月ころから我が国において，引用標章を付した女性向け高級腕時計（以下「ＥＧＥＲＩＥ商品」という。）の販売を開始し，ＥＧＥＲＩＥ商品のみを紹介するためのパンフレット（甲第１０号証）を作成するなど，ＥＧＥＲＩＥ商品について積極的に広告・宣伝活動を行った。その結果，ＥＧＥＲＩＥ商品は，高級感のあるエレガントな時計としてファッションに敏感な女性の注目を集め，数多くの雑誌等においても紹介された（甲第１１号証）。また，ＥＧＥＲＩＥ商品は，最も安い商品でもその価格は９５万円もする高額商品であるが，２００３年１０月の販売開始から現在までに１６８本も販売されている（甲第１２号証）ことからも，その人気の高さがうかがわれる。
（イ）混同のおそれ
　本件商標は，周知・著名な引用標章と同じ綴り字の「ＥＧＥＲＩＥ」を有するものである。
　また，上述のとおり，本件商標の指定商品のうち「身飾品，宝玉及びその模造品，時計」については商標法第４条第１項第１１号に該当するが，それ以外の「キーホルダー，貴金属製食器類，貴金属製宝石箱，貴金属製のがま口及び財布，貴金属製コンパクト」も高級腕時計と商品の提供者，販売場所，需要者の範囲が共通することが多く，密接な関係が認められ，かつ，第１８類「かばん類，袋物」についても，その主たる需要者は，ファッションに関心を持つ女性であるから，これらの商品に本件商標が使用された場合にも，ヴァシュロン社又は同社と組織的・経済的に何らかの関係がある者の業務に係る商品であると混同を生ずるおそれがある。
　したがって，本件商標の登録は，商標法第４条第１項第１５号に違反してされたものである。
２　答弁に対する弁駁
（１）商標法第４条第１項第１５号について
（ア）引用標章の使用態様について
　被請求人主張のとおり，ＥＧＥＲＩＥ商品の文字盤には，引用標章は表されておらず，該商標は腕時計の裏蓋に刻まれているが，腕時計の文字盤にはそのブランド（製造・販売する者）のみが刻まれ，個々の製品名が文字盤に表されないことは普通に行われているところである。例えば，カルティエ社の「パシャ」「タンクフランセーズ」「サントス」といったモデルは，同社を代表する腕時計であり，カルティエ社の業務に係る腕時計を表す商標として，我が国の需要者に広く知られているが，それらの商品名が文字盤に表されることはなく，文字盤には「ＣＡＲＴＩＥＲ」の商標のみが表示されている（甲第１３号証）。同様に，パテック・フィリップ社の「カラトラバ」も同社の代表的な腕時計であるが，その商品名は腕時計の文字盤には，表されていない（甲第１４号証）。
　そうすると，ＥＧＥＲＩＥ商品に接する需要者が，引用標章をこの腕時計の商品名として認識するのは明らかであり，文字盤の表面に商品名が刻まれていないことは，こうした認識に何ら影響を及ぼすものではない。
　したがって，引用標章が文字盤に表されていないことをもって，請求人が引用標章を商標として使用していないという被請求人の主張は，誤りである。
（イ）引用標章の周知性について
　被請求人は，２００３年９月（「２００４年５月」の誤記と認められる。）までに請求人が販売したＥＧＥＲＩＥ商品の数量はわずか１５個（「９４個」の誤記と認められる。）であり，これをもって請求人の商標の周知性を認めることはできない旨主張する。
　しかし，ＥＧＥＲＩＥ商品は，高額なものであるから，わずか１ヶ月間で１５個という販売数量は，この種の高級時計の販売実績としては，決して少ないものではない。
　また，販売実績（甲第１２号証）は，請求人の日本における輸入総代理店であるリシュモンジャパン株式会社を通じて販売された数量のみである。高級輸入時計は，総代理店以外の並行輸入業者も多数輸入して販売していることが多いため，実際に日本国内で販売された数量は，甲第１２号証に示したよりも多いものと推測できる。
　さらに，ＥＧＥＲＩＥ商品は，２００３年にスイス国ジュネーブで開催された高級時計国際見本市において，ヴァシュロン社の新作として発表され（甲第１５号証），発表と同時に話題となり，我が国の高級腕時計の需要者にも知られることとなったのである。
　したがって，引用標章は，請求人によって商標として使用された結果，我が国の需要者に周知となっている。
（２）商標法第４条第１項第１１号について
（ア）被請求人は，本件商標全体からは，「女神の助言」「女神のような助言者」といった意味合いが生じるため，単なる「女性の助言者」とは観念において異なるものであり，また，称呼も異なる旨主張する。
　しかし，「ＥＧＥＲＩＥ　ＤＩＶＩＮＥ」なる語が慣用句又は熟語として一体不可分に把握されるべき客観的理由は，何ら示されていないし，本件商標を一体不可分に称呼しなければならない理由はない。
　（イ）被請求人は，本件商標を実際に使用する際には片仮名を付していないことが多く（甲第１６号証及び甲第１７号証），さらに，「ＥＧＥＲＩＥ」を上段に大きく表し，「ＤＩＶＩＮＥ」，「ＰＡＲＩＳ」を下段に小さく表した態様で使用していた例もあり（甲第１８号証），本件商標から「エジェリ」の称呼を生ずる蓋然性は高いといわざるを得ない。そして，本件商標中の「ＥＧＥＲＩＥ」と引用商標とのアクサン・テギューの有無が外観の類否に大きな影響を与えるものではない。
　なお，被請求人は，請求人が刊行物提出を行ったにもかかわらず本件商標が登録されたため，本件商標が商標法第４条第１項第１１号に該当するという請求人の主張は，理由がない旨主張するが，審判においては，個別の商標の使用状況等，個別具体的な事情を勘案して当該商標登録を無効にすべきか否かを判断するものであるから，審査と異なる判断がなされることがあるのは当然であり，審査段階で看過された瑕疵ある商標登録を無効にするという無効審判制度の趣旨からしても，上記被請求人の主張は，失当である。
３　結び
　以上のとおり，本件商標の登録は，商標法第４条第１項第１１号及び同第１５号に該当し，同法第４６条第１項第１号により無効とされるべきものである。
　
第４　被請求人の答弁
　被請求人は，結論同旨の審決を求める，と答弁し，その理由を次のように述べ，証拠方法として，乙第１号証及び乙第２号証（枝番号を含む。）を提出した。
１　商標法第４条第１項第１５号該当性に対する反論
（１）請求人は，２００３年１０月に，我が国でＥＧＥＲＩＥ商品の販売を開始し，現在までに１６８個販売したと主張するが，甲第１２号証によれば，本件商標が登録出願される２００４年５月までの販売数は９４個である。その販売数をもって，引用標章の著名性を主張することは，無理がある。
（２）また，請求人は，甲第１０号証をもって，ＥＧＥＲＩＥ商品を販売したとするが，実際に時計の商標として使用されているのは，「ＶＡＣＨＥＲＯＮ　ＣＯＮＳＴＡＮＴＩＮ」であり，引用標章ではない。しかも，甲第１０号証は，いつ，どこに，どのくらい配布されたものかも不明である。
　また，甲第１０号証以外の雑誌・広告類をみても，本件商標の登録出願前に発行されたものは，甲第１１号証の１，２及び１５であり，それ以外の雑誌は，いずれも本件商標の登録出願後に発行されたものであって，本件審判における著名の立証とは，関連がない。
　さらに，引用標章は，時計の個別ブランドとしての使用というよりは，その時計について何らかの特定の雰囲気付けを与えるために用いた形容詞ともいうべきであって，一種のキャッチフレーズ的使用態様である。本来，時計のブランドを表示すべき場所は，時計の文字盤の内側部分であり，需要者はそこを見てブランドを認識するのである。しかるに，本来，ブランドを表示すべき部分には，請求人の代表的商標である「ＶＡＣＨＥＲＯＮ　ＣＯＮＳＴＡＮＴＩＮ」が示されているだけであり，引用標章は，需要者からは見えない時計の裏側に刻まれているにすぎない。
　したがって，ＥＧＥＲＩＥ商品に使用している商標は，「ＶＡＣＨＥＲＯＮ　ＣＯＮＳＴＡＮＴＩＮ」であり，引用標章ではない。
（３）以上のように，これらの証拠をもって，本件商標の登録出願時において，引用標章が著名であったとすることはできない。
　よって，本件商標は，商標法第４条第１項第１５号に違反して登録されたものではない。
（４）本件商標の使用実績
　被請求人は，本件商標の登録出願前に，第１４類に登録出願（２００３年２月１４日）し登録を受けた「ＥＧＥＲＩＥ／エジェリ」商標（登録第４７７１００２号，乙第１号証，以下「被請求人商標」という。）を使用していた。被請求人は，被請求人商標の登録出願時において，請求人が被請求人商標と類似する引用商標を１日違いでスイスに出願していたなどとは知る由もなかった。被請求人は，フランス人女性デザイナー（ソフィー・ヴィルピーグ）のデザインに係るジュエリーについて２００３年３月ころより，また，時計について同年ｌｌ月ころより，被請求人商標の使用を開始し，相当規模の宣伝広告も行い，独自の営業努力で商品展開を開始したのであるが，僅か１日とはいえ，請求人のスイスを第１国とする優先権主張出願のため，指定商品の一部「時計，身飾品」については，後願となってしまった。
　そこで，被請求人は，やむなく被請求人商標の使用を「時計，アクセサリー」等については中止することを決定し，これに代わる商標として本件商標を採択したのである。
　したがって，たった１日先願となっただけの引用商標をもって，被請求人に対し著名性を主張し，また，本件審判にて提出した程度の僅少の使用事実をもって，本件商標に対し，著名性などを主張するのは，見当違いも甚だしい。
２　商標法第４条第１項第１１号該当性に対する反論
（１）請求人は，本件商標は「ＥＧＥＲＩＥ」の部分が要部であり，この部分から「エジェリ」の称呼が生じると主張するが，その主張には合理的理由がない。すなわち，甲第６号証には，「ＤＩＶＩＮＥ」は，「神の，神による，崇高な，このうえなくすばらしい」等の意味が記載され，本件商標全体からは，「女神の助言」，「女神のような助言者」といったような意味合いが生じるのであり，単なる「女性の助言者」とは異なった観念を有するのである。
　さらに，本件商標から「ＥＧＥＲＩＥ」の部分が分離して称呼されることがないことは，本件商標の審査段階において，請求人が刊行物提出をした（乙第２号証の１及び２）にもかかわらず，本件商標が登録になったことからも明らかである。
　したがって，本件商標は，上述の観念を有し，「ＥＧＥＲＩＥ」と「ＤＩＶＩＮＥ」とにおいて，そのいずれが顕著性が強く，いずれが弱い，といったような関係にはない。
（２）以上のとおり，本件商標は，引用商標とは，その外観，観念，称呼のいずれの点においても非類似であることは，明白である。
　なお，請求人は，審決例を挙げるが，本件とは全く事案を異にするものであり，本件商標が分離されるべきことの根拠とはならない。
３　まとめ
　以上のように，本件商標は，商標法第４条第１項第１５号及び同第１１号に該当するものではないから，請求人の主張は，理由がない。
　
第５　当審の判断
１　商標法第４条第１項第１１号について
　本件商標は，後掲のとおり，「ＥＧＥＲＩＥ（１字目と３字目の「Ｅ」には，アクサン・テギューが付されている。）　ＤＩＶＩＮＥ」の欧文字を横書きしてなるものであるところ，その構成中の「ＥＧＥＲＩＥ」の文字部分と「ＤＩＶＩＮＥ」の文字部分との間にやや間隔があるとしても，これらの文字は，同一の書体をもって，外観上まとまりよく一体的に表されており，また，後半の「ＤＩＶＩＮＥ」が「神の，すばらしい」の意味のフランス語の形容詞であるとしても，前半の「ＥＧＥＲＩＥ」もまた「『政治家・芸術家などの』女性予言者」を意味するフランス語であって，これらの識別性に特に軽重の差を見いだすことができないものである。
　請求人は，構成前半の「ＥＧＥＲＩＥ」は，請求人傘下のヴァシュロン社の業務にかかる腕時計の商標として周知となっている「ＥＧＥＲＩＥ」と綴りを同じくするものと述べているが，２で後述するように，「ＥＧＥＲＩＥ」の文字よりなる商標が，ヴァシュロン社の取扱いに係る女性向け高級腕時計（ＥＧＥＲＩＥ商品）を表示するものとして，我が国において著名なものと認めることができないから，本件商標の構成中の「ＥＧＥＲＩＥ」の文字部分のみに着目されるということにもならないし，他に，本件商標を「ＥＧＥＲＩＥ」と「ＤＩＶＩＮＥ」とに分離して観察しなければならない特段の事情は，認められない。
　そして，本件商標は，１字目と３字目の「Ｅ」に，アクサン・テギューが付されているところから，フランス語の単語を結合したものと理解され得るところから，請求人が説示するように，これよりは，フランス語風に「エジェリディヴィーヌ」の称呼を生ずるというべきであるが，該称呼は，冗長な称呼という程のものでもないから，本件商標は，「エジェリディヴィーヌ」の一連の称呼のみを生ずるものというべきである。
　しかして，本件商標は，フランス語の単語を結合したものと理解されるものであるとしても，いずれの語も我が国においては，馴染みの薄い語であり，需要者をして，その意味を直ちに認識させることは，困難であるといえるから，構成全体をもって，特定の観念を想起させない造語を表したと理解されるというのが相当である。
　これに対し，引用商標は，前記のとおり，「ＥＧＥＲＩＥ」の文字を横書きしてなるものであるところ，該文字は，我が国において親しまれた語とはいえないものであり，また，本件商標中の「ＥＧＥＲＩＥ」の文字部分と同一の綴り字よりなるものであるから，これより「エジェリ」の称呼を生ずるか，又は，英語読み風にした「エジェリー」の称呼を生じ，特定の観念を想起させない造語を表したと理解されると見るのが相当である。
　してみると，本件商標より生ずる「エジェリディヴィーヌ」の称呼と引用商標より生ずる「エジェリ」又は「エジェリー」の称呼は，後半部分において，「ディヴィーヌ」の音の有無という顕著な差異を有するものであるから，その差異によって，十分に聴別し得るものである。
　また，本件商標と引用商標は，前記認定のとおり，いずれも造語を表したと理解されるものであるから，観念においては，比較することができない。
　さらに，本件商標と引用商標は，ぞれぞれ前記した構成より見て，外観上明らかに区別し得るものである。
　したがって，本件商標と引用商標とは，その外観，称呼及び観念のいずれの点においても，相紛れるおそれのない，非類似の商標というべきであるから，本件商標は，商標法第４条第１項第１１号に違反して登録されたものではない。
　なお，請求人は，請求人のいう本件商標と引用商標との類似性が正当である根拠として，審決例を挙げているが，該審決例は，対比される一方の商標が，一般に馴染みのある語との結合商標，あるいは，著名商標との結合商標であるという点において，本件商標とは，２語の結合の態様が異なるものであるから，本件と事案を異にするものといわなければならない。
２　商標法第４条第１項第１５号について
　ヴァシュロン社の取扱いに係る女性向け高級腕時計（ＥＧＥＲＩＥ商品）について使用される引用標章が，本件商標の登録出願前より，我が国においてその需要者の間に広く認識されていたものであるか否かについて検討するに，甲第１０号証ないし甲第１２号証及び甲第１５号証によれば，引用標章がＥＧＥＲＩＥ商品について使用されていることは，認めることができる。
　しかしながら，甲第１０号証（ＥＧＥＲＩＥ商品のパンフレット）は，いつ発行され，どの程度の部数がどの地域に頒布されたものであるかが明らかではない。また，雑誌による広告にしても，そのほとんどのものが本件商標の登録出願後に発行されたものであり（甲第１１号証の３ないし１４），本件商標の登録出願前に発行された認められるものは，家庭画報（２００３年１１月１日及び２００４年５月１日発行，甲第１１号証の１及び１５）と「和楽」（２００３年１２月１日発行，甲第１１号証の２）のみである。さらに，甲第１５号証（傑作腕時計百年図鑑２００４年版，２００３年１２月１日発行）に，ＥＧＥＲＩＥ商品の掲載があったとしても，これも新作腕時計としての紹介にすぎないものである。加えて，請求人の主張によれば，ＥＧＥＲＩＥ商品の我が国での販売開始が２００３年（平成１５年）１０月からであり，これが高額な商品であるとしても，２００３年１０月から本件商標の登録出願前である２００４年５月までの販売数量が約７９個であり，その販売数は決して多いものとはいえないことなどを総合すると，引用標章は，ヴァシュロン社の取扱いに係るＥＧＥＲＩＥ商品を表示するものとして，本件商標の登録出願時すでに，我が国の需要者の間に広く認識されていたと認めることは，困難であるといわざるを得ない。
　そうすると，前記１で認定したとおり，本件商標と引用商標とが非類似の商標であることも併せ考えれば，本件商標は，これをその指定商品について使用しても，該商品がヴァシュロン社又はこれと営業上何らかの関係がある者の業務に係る商品であるかのように，商品の出所について混同を生ずるおそれがある商標ということはできない。
　したがって，本件商標は，商標法第４条第１項第１５号に違反して登録されたものでもない。
３　以上のとおり，本件商標の登録は，商標法第４条第１項第１１号及び同第１５号に違反してされたものではないから，同法第４６条第１項の規定により，無効とすることはできない。
　よって，結論のとおり審決する。